(57)【要約】【課題】  簡易クレーンを仮設足場の最上段の構造物の内、高い位置に吊り上げて設置可能とする。【解決手段】  ビティ仮設足場１の最上段の建枠部材１５の内、簡易クレーン装着対象の前側縦枠１５Ａの上端に上方から嵌脱自在に嵌着可能な支柱３１と、支柱３１から前方に延設されたアーム部３３と、アーム部３３の前端部に設けられた吊り上げ滑車取り付け部３７と、支柱３１から後方に延設されてビティ仮設足場１の最上段の建枠部材１５の内、横枠１５Ｃに着脱自在に装着可能な後方延設部３４とを有し、吊り上げ滑車取り付け部３７に懸吊した吊り上げ滑車４０に巻装した吊り上げロープ２５の先端側を簡易クレーン３に取り付け、吊り上げロープ２５の他端を引っ張ることで簡易クレーン３の吊り上げを可能とした。【選択図】      図１３
2018003497.tif 000002
【特許請求の範囲】
【請求項１】
仮設足場の最上段の建枠部材の内、簡易クレーン装着対象の前側縦枠の上端に上方から嵌脱自在に嵌着可能な支柱と、
支柱から前方に延設されたアーム部と、
アーム部の前端部に設けられた滑車取り付け部と、
支柱から後方に延設されて仮設足場の最上段の建枠部材の内、横枠または後側縦枠に着脱自在に装着可能な後方延設部と、
を有し、
滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴とする吊り上げ補助具。
【請求項２】
アーム部を斜め上方向きに延設したこと、
を特徴とする請求項１記載の吊り上げ補助具。
【請求項３】
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に懸吊された吊り上げシーブと、
吊り上げシーブがアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げシーブに巻装した吊り上げロープの先端側を簡易クレーンに取り付け、吊り上げロープの他端を引っ張ることで簡易クレーンの吊り上げを可能としたこと、
を特徴とする吊り上げ補助具。
【請求項４】
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に装備した吊り上げ滑車取り付け部と、
吊り上げ滑車滑車取り付け部がアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げ滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴とする吊り上げ補助具。
【請求項５】
アーム部の前部のガイドローラの移動部分を水平より下向きに傾斜させたこと、
を特徴とする請求項３または４記載の吊り上げ補助具。
【請求項６】
支柱またはアーム部または後方延設部に、仮設足場から外した吊り上げ補助具を仮設足場の構造物に掛止可能とするフック部を設けたこと、
を特徴とする請求項１乃至５の内のいずれか一項記載の吊り上げ補助具。
【発明の詳細な説明】
【技術分野】
【０００１】
本発明は吊り上げ補助具に係り、とくにマンション、ビル等の建築物の新築・改修工事現場等の仮設足場に設置されて足場部材、建築部材の荷揚げをする簡易クレーンの吊り上げに好適な吊り上げ補助具に関する。
【背景技術】
【０００２】
マンション、ビル等の新築・改修工事現場等では、仮設足場の組み上げ、建築物内への資材の搬入のため、仮設足場に簡易クレーンを設置し、地上から仮設足場の上の段に仮設足場の資材、建築物の資材を吊り上げ、足場内に取り込むようにしている。
図１に建築物の改修工事現場で用いられる従来の簡易クレーンの設置例を示す。仮設足場１の最上段の建枠部材２の前側の縦枠２Ａに、簡易クレーン３が設置されている。簡易クレーン３は基部支柱４、ブラケット５を備え、複数のクランプ６を用いて基部支柱４が縦枠２Ａに着脱自在に締結されている。基部支柱４には前方へ延設されたブラケット５が水平面内で旋回自在に装着されている。ブラケット５の前端にはホイスト取り付け部７が固着されており、このホイスト取り付け部７にホイスト８が懸吊されている。ホイスト８から巻き出されたワイヤロープ９の先端に吊りフック１０が装着されている。ホイスト８を稼動し、吊りフック１０を地上近くに降ろし、地上の作業員が荷揚げ資材としての足場部材１１を玉掛けした玉掛けワイヤ１２を吊りフック１０に掛装する。ホイスト８を稼動し、ワイヤロープ９を巻き取らせ、地上から仮設足場１の最上段の１つ下の段のステージの高さに荷揚げし、ホイスト８を止める。仮設足場１の作業員は荷揚げされた足場部材１１を足場内に取り込む。
【０００３】
ところで、簡易クレーン３は仮設足場１が上方へ組み上がるに従い、設置箇所をより上段の建枠部材に付け替える必要がある。従来行われている付け替え作業では、まず簡易クレーン設置対象の建枠部材を組み上げて、一人の作業員が上部に登り、他の作業員がそれまで設置されていた建枠部材から簡易クレーンを外し、持ち上げて上の作業員に手渡しする。上の作業員は先行して組み上げた建枠部材にクランプで締結し直すようにしている。けれども、簡易クレーンにはかなりの重量があり、手渡しで上に付け替えるのは困難な作業となっていた。
【０００４】
この対策として、図１に示す如く、簡易クレーン３の移設対象の建枠部材２の縦枠２Ａの上部に、吊り上げ補助具２０を先行して装着しておき、この吊り上げ補助具２０により簡易クレーン３を吊り上げて吊り上げ補助具２０の下側に移設することが考えられる。吊り上げ補助具２０は、クランプ２１により小型のブラケット２２を縦枠２Ａの上端部に着脱自在に締結する。ブラケット２２の先端に固着した吊り上げ滑車取り付け部２３に吊り上げ滑車２４を懸吊しておく。吊り上げロープ２５を荷揚げ滑車２４に巻装したのち、先端の輪部２６を簡易クレーン３のブラケット５に取り付けたシャックル２７に掛装する。仮設足場１の下方の段に設置されていた簡易クレーン３を縦枠２Ａに移設する際、吊り上げロープ２５を引っ張って簡易クレーン３を吊り上げ、クランプ６により縦枠２Ａの吊り上げ補助具２０の下側に締結すれば良い。
【０００５】
けれども、縦枠２Ａの上部に吊り上げ補助具２０を設置すると、簡易クレーン３の設置個所が縦枠２Ａの下寄りとなり、荷を足場内に取り込む際、ホイスト８で吊り上げた足場部材１１の下部が作業員のいる段のステージの足場板２８に当接するので、荷を持ち上げながら取り込まなければならない不便がある。
【先行技術文献】
【特許文献】
【０００６】
【特許文献１】実用新案登録第３０２３６８３号公報
【発明の概要】
【発明が解決しようとする課題】
【０００７】
本発明は上記した従来技術の問題に鑑みなされたもので、簡易クレーンを仮設足場の最上段の構造物の内、高い位置に吊り上げて設置可能とする吊り上げ補助具を提供することを、その目的とする。
【課題を解決するための手段】
【０００８】
請求項１記載の発明では、
仮設足場の最上段の建枠部材の内、簡易クレーン装着対象の前側縦枠の上端に上方から嵌脱自在に嵌着可能な支柱と、
支柱から前方に延設されたアーム部と、
アーム部の前端部に設けられた滑車取り付け部と、
支柱から後方に延設されて仮設足場の最上段の建枠部材の内、横枠または後側縦枠に着脱自在に装着可能な後方延設部と、
を有し、
滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴としている。
請求項２記載の発明では、アーム部を斜め上方向きに延設したこと、
を特徴としている。
請求項３記載の発明では、
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に懸吊された吊り上げシーブと、
吊り上げシーブがアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げシーブに巻装した吊り上げロープの先端側を簡易クレーンに取り付け、吊り上げロープの他端を引っ張ることで簡易クレーンの吊り上げを可能としたこと、
を特徴としている。
請求項４記載の発明では、
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に装備した吊り上げ滑車取り付け部と、
吊り上げ滑車取り付け部がアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げ滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴としている。
請求項５記載の発明では、アーム部の前部のガイドローラの移動部分を水平より下向きに傾斜させたこと、
を特徴としている。
請求項６記載の発明では、
支柱またはアーム部または後方延設部に、仮設足場から外した吊り上げ補助具を仮設足場の構造物に掛止可能とするフック部を設けたこと、
を特徴としている。
【発明の効果】
【０００９】
本発明によれば、仮設足場の最上段の建枠部材の内、簡易クレーンの設置対象の建枠部材の上に吊り上げ補助具を立設し、この吊り上げ補助具のアーム部の前部に懸吊した吊り上げ滑車または吊り上げシーブに吊り上げロープを巻装し、簡易クレーンを仮設足場の最上段の建枠部材に移動する際に吊り上げロープで吊り上げるようにしたので、簡易クレーンの設置個所を建枠部材の上端寄りとすることができ、簡易クレーンで吊り上げた荷揚げ資材の下部が、簡易クレーンより一段下の荷の取り込みステージの足場板に接触し難くなり、足場内への荷揚げ資材の取り込みが容易となる。
また、ガイドローラにより吊り上げシーブまたは吊り上げ滑車取り付け部がアーム部を前後に移動自在としたので、簡易クレーンを上方に引き上げ後、作業員が簡易クレーンを仮設足場に近づけると吊り上げシーブまたは吊り上げ滑車が後方移動し、簡易クレーンが前方へ引っ張られることがなく、簡易クレーンを簡単に仮設足場の建枠部材に引き寄せることができ、簡易クレーンの装着作業を円滑に行うことができる。
また、アーム部の前部を下向きに傾斜させたことにより、簡易クレーンの吊り上げ中に吊り上げシーブまたは吊り上げ滑車が前方に寄るので、簡易クレーンが後の仮設足場に接触する恐れがない。
【図面の簡単な説明】
【００１０】
【図１】簡易クレーンの設置例を示す説明図である。
【図２】本発明に係る吊り上げ補助具の使用状態を示す一部省略した側面図である（実施例１）。
【図３】図２中の吊り上げ補助具の外観斜視図である。
【図４】図２中の吊り上げ補助具の取り付け方法の説明図である。
【図５】図２中の吊り上げ補助具の取り付け方法の説明図である。
【図６】図２中の簡易クレーンの使用方法の説明図である。
【図７】図２中の吊り上げ補助具の使用方法の説明図である。
【図８】図２中の吊り上げ補助具の使用方法の説明図である。
【図９】図２中の吊り上げ補助具の使用方法の説明図である。
【図１０】図２中の吊り上げ補助具の使用方法の説明図である。
【図１１】図２中の吊り上げ補助具の使用方法の説明図である。
【図１２】図２中の吊り上げ補助具の使用方法の説明図である。
【図１３】図２中の吊り上げ補助具の使用方法の説明図である。
【図１４】吊り上げ補助具の変形例の説明図である。
【図１５】吊り上げ補助具の他の変形例の説明図である。
【図１６】図１５の吊り上げ補助具の使用方法の説明図である。
【図１７】図１５の吊り上げ補助具の使用方法の説明図である。
【図１８】図１５の吊り上げ補助具の使用方法の説明図である。
【図１９】吊り上げ補助具の更に他の変形例の説明図である。
【発明を実施するための最良の形態】
【００１１】
以下、本発明の最良の形態を実施例に基づき説明する。
【実施例１】
【００１２】
図２乃至図５を参照して本発明の一実施例を説明する。図２は本発明に係る吊り上げ保持具の使用状態を示す一部省略した側面図、図３は吊り上げ補助具の外観斜視図、図４と図５は吊り上げ補助具の設置方法の説明図である。
図２において、１はビティ仮設足場、２はビティ仮設足場１の最上部の建枠部材（ビティ仮設足場の構造物）、３は建枠部材２の前側の縦枠２Ａの上端部に設置された簡易クレーンであり、簡易クレーン３は基部支柱４、ブラケット５を備え、複数のクランプ６を用いて基部支柱４が縦枠２Ａの上端部に着脱自在に締結されている。基部支柱４には前方へ延設されたブラケット５が水平面内で旋回自在に装着されている。ブラケット５の前端にはホイスト取り付け部７が固着されており、このホイスト取り付け部７にホイスト８が懸吊されている。ホイスト８から巻き出されたワイヤロープ９の先端に吊りフック１０が装着されている。
【００１３】
３０はビティ仮設足場１の最上部の建枠部材２の前側の縦枠２Ａの上端の上側に設置された簡易クレーン３用の吊り上げ補助具であり、簡易クレーン３を縦枠２Ａに設置する際、事前に建枠部材２の上側に立設されて、吊り上げ補助具３０から垂らした吊り上げロープ２５を引っ張って簡易クレーン３を上方へ引き上げ、縦枠２Ａに締結してある。
図３に示す如く吊り上げ補助具３０の内、３１は上下方向に延設された丸パイプからなる支柱、３２は支柱３１の上端に固着されたへの字状に湾曲したアーム部材、３３はアーム部材３２の内、支柱３１の上端から前方に延設された部分であるアーム部であり、前部が水平に延設されている。３４はアーム部材３２の内、支柱３１の上端から後方へ延設された部分である後方延設部であり、斜め下方に延設されている。３５と３６は支柱３１とアーム部材３２の間に固着された補強部材、３７はアーム部３３の前端に固着された吊り上げ滑車取り付け部、３８、３８は吊り上げ補助具３０を建枠部材の横枠（図４の符号２Ｃ参照）に掛止するためのフック部、３９は後方延設部３４の先端に装着された締結金具としてのクランプである。吊り上げ滑車取り付け部３７には吊り上げ滑車４０が懸吊されている。
【００１４】
図４に示す如く、吊り上げ補助具３０は、縦枠２Ａの上端に嵌合された円筒状のピン２Ｂに支柱３１の下端部が嵌脱自在に嵌着されるとともに、クランプ３９により後方延設部３４が横枠２Ｃに着脱自在に締結されることにより、ビティ仮設足場１の最上部の建枠部材２の上に立設されている（図５参照）。
吊り上げ滑車４０には吊り上げロープ２５が巻装されて先端の輪部２６が簡易クレーン３のブラケット５に装着されたシャックル２７に掛装されている。
【００１５】
次に、図６参照して上記した簡易クレーン３の使用方法を説明する。
仮設足場１の上の作業員Ａはホイスト８を稼動し、吊りフック１０を地上近くに降ろす。地上の作業員は足場部材１１を玉掛けした玉掛けワイヤ１２を吊りフック１０に掛装する。作業員Ａはホイスト８を稼動し、ワイヤロープ９を巻き取らせ、地上から仮設足場１の最上段の１つ下の段のステージの高さに荷揚げし、ホイスト８を止める。作業員Ａは荷揚げされた足場部材１１を足場内に取り込む。この際、簡易クレーン３が最上段の縦枠２Ａの上端寄りに設置されているので、荷揚げした足場部材１１の下端は作業員Ａの載っている足場板２８より上に来る。従って、足場部材１１の下端が足場板２８と接触し難くなり、足場内への荷揚げ資材の取り込みを容易に行なうことができる。
【００１６】
次に、図７乃至図１３を参照して簡易クレーン３の上方への付け替え作業について説明する。
ビティ仮設足場１の上部にいる作業員Ｂがクランプ３９を外して、吊り上げ補助具３０を建枠部材２から取り外し、フック３８により吊り上げ補助具３０を建枠部材２の横枠２Ｃに掛止する（図７参照）。そして、図８、図９に示す如く、二段分、新たな建枠部材１４、１５を組み上げ、フック３８を縦枠部材１４の横枠１４Ｃ、１５Ｃに掛け替えながら吊り上げ補助具３０を手で上げていき（図９、図１０参照）、ビティ仮設足場１の最上部前側の縦枠１５Ａの上端のピン１５Ｂに支柱３１の下端部を差し込み、アーム部材３２の後端をクランプ３９で横枠１５Ｃに締結する（図４、図５、図１１参照）。
【００１７】
作業員Ｂが吊り上げロープ２５を引っ張り、簡易クレーン３の重量を保持した状態で、下の作業員Ａは簡易クレーン３のクランプ６を縦枠２Ａから外して、簡易クレーン３をビティ仮設足場１の建枠部材２から取り外す。そして、作業員Ａが吊り上げロープ２５を引っ張り、簡易クレーン３をホイスト８とともに上方へ吊り上げる（図１２参照）。そして、最上段の建枠部材１５の上端部まで上がったところで、作業員Ｂがクランプ６により基部支柱４を縦枠１５Ａの上端部に締結する（図１３参照）。
【００１８】
作業員Ａが吊り上げロープ２５を引っ張り簡易クレーン３を吊り上げて移動するので、下と上の作業員の間で手渡しする場合に比べて遥かに安全かつ容易に簡易クレーン３の付け替え作業ができる。また簡易クレーン３を最上段の縦枠１５Ａの上端寄りに設置できるので、足場内への荷揚げ資材の取り込みを容易に行なうことができる。
【００１９】
この実施例によれば、ビティ仮設足場１の内、簡易クレーン３の設置位置より上方位置に吊り上げ補助具３０を設置し、この吊り上げ補助具３０のアーム部３３の前端に懸吊した吊り上げ滑車４０に吊り上げロープ２５を巻装し、簡易クレーン３をビティ仮設足場１の上方に付け替える際、作業員が吊り上げロープ２５で吊り上げることにより、上下の作業員が手渡しで下から上へ移動するよりも遥かに安全かつ容易に行うことができる。
また、吊り上げ補助具３０をビティ仮設足場１の最上段の建枠部材１５の上に立設するので、簡易クレーン３を最上段の縦枠１５Ａの上端寄りに設置可能となり、吊り荷の足場部材１１を足場内に取り込む際、足場部材１１の下端が作業員の載っている足場板と接触し難くなり、足場内への足場部材１１の取り込みを容易に行なうことができる。
【００２０】
なお、上記した実施例では、支柱に固着したアーム部材をへの字状に湾曲した構成としたが、本発明は何らこれに限定されず、例えば図１４（１）の吊り上げ補助具３０Ａに示す如く、支柱３１Ａの上端に前後に斜め方向に延設したアーム部材３２Ａとし、支柱３１Ａから前方が斜め上方に延設されたアーム部３３Ａとしたり、図１４（２）の吊り上げ補助具３０Ｂに示す如く、支柱３１Ｂの上端にへの字状に折曲したアーム部材３２Ｂとし、支柱３１Ｂから前方が水平に延設されたアーム部３３Ｂとしても良い。
【００２１】
また、図１５の吊り上げ補助具３０Ｃに示す如く、支柱３１の上端に装着されたへの字状のアーム部材３２Ｃの前側のアーム部３３Ｃの前部に前後移動自在に吊り上げシーブ５０を装備しても良い。吊り上げシーブ５０は二枚の支持板５１、５１の下部に装着されており、この支持板５１、５１の上端部に装着されたガイドローラ５２がアーム部３３Ｃの前部に懸装されることにより、前後移動自在になっている。アーム部３３Ｃにはガイドローラ５２の移動範囲を制限する鍔状のストッパ５３、５３が装着されている。アーム部３３Ｃの前部は水平より角度θだけ少し下向きに傾斜されており、通常は吊り上げシーブ５０が自重で前寄りに移動した状態となるようになっている。
【００２２】
図１６乃至図１８参照して吊り上げ補助具３０Ｃを用いた簡易クレーン３の上方への付け替え作業について説明する。なお、簡易クレーン３は縦枠２Ａの上端部に装着されており、吊り上げ補助具３０Ｃは２段上の建枠部材１５の前側の縦枠１５Ａの上端に嵌合されたピン（図９の符号１５Ｂ参照）に支柱３１を差し込み、アーム部材３２Ｃの後端のクランプ３９で横枠１５Ｃに締結済であるとする。また、吊り上げロープ２５が吊り上げシーブ５０に巻装されており、この吊り上げロープ２５の一端が簡易クレーン３のシャックル２７に取り付けられているものとする。
ビティ仮設足場１の上部にいる作業員Ｂが吊り上げロープ２５を引っ張り、簡易クレーン３の重量を支持した状態で（図１６参照）、下の作業員Ａは簡易クレーン３のクランプ６を縦枠２Ａから外して、簡易クレーン３をビティ仮設足場１の建枠部材２から取り外す。そして、作業員Ａが吊り上げロープ２５を引っ張り、簡易クレーン３をホイスト８とともに上方へ吊り上げる（図１７参照）。吊り上げ補助具３０Ｃのアーム部３３Ｃの前部が下向きに傾斜しているので、簡易クレーン３の吊り上げ中は吊り上げシーブ５０が前寄りに移動しており、作業員Ａが吊り上げロープ２５を引っ張っても簡易クレーン３がビティ仮設足場１に接触して破損する恐れはない（図１７の矢印ａ１、ａ２参照）。
【００２３】
簡易クレーン３を上方に引き上げ後、作業員Ｂが簡易クレーン３をビティ仮設足場１の最上段の縦枠１５Ａの方へ引き寄せると吊り上げシーブ５０が後方移動し（図１８の矢印ｂ１、ｂ２参照）、簡易クレーン３が前方へ大きな力で引っ張られることがなく、簡易クレーン３の基部支柱４を簡単に仮設足場の最上部の縦枠１５Ａに引き寄せることができ、クランプ６による締結作業を円滑に行うことができる。
【００２４】
なお、図１５の吊り上げ補助具３０Ｃではアーム部３３Ｃの前部を吊り上げシーブ５０が前後に移動するようにしたが、図１９の吊り上げ補助具３０Ｄに示す如く、支柱３１の上端に装着されたへの字状のアーム部材３２Ｄの前側のアーム部３３Ｄの前部に吊り上げ滑車取り付け部６０を前後に移動可能に装備しても良い。図１９において、吊り上げ滑車取り付け部６０は二枚の支持板５１Ｄ、５１Ｄの下部に装着されており、この支持板５１Ｄ、５１Ｄの上端部に装着されたガイドローラ５２がアーム部３３Ｄの前部に懸装されることにより、前後移動自在になっている。アーム部３３Ｄにはガイドローラ５２の移動範囲を制限する鍔状のストッパ５３、５３が装着されている。アーム部３３Ｄの前部は水平より角度θだけ少し下向きに傾斜されており、通常は吊り上げ滑車取り付け部６０に懸吊した吊り上げ滑車４０が自重で前寄りに移動した状態となるようになっている。
【００２５】
図１９の例によれば、簡易クレーンの吊り上げ中は吊り上げ滑車取り付け部６０に懸吊した吊り上げ滑車４０が前寄りに移動しており、ビティ仮設足場の下側にいる作業員が吊り上げ滑車４０に巻装した吊り上げロープを引っ張っても簡易クレーンがビティ仮設足場に接触して破損する恐れはない。簡易クレーンを上方に引き上げ後、ビティ仮設足場の上側にいる作業員が簡易クレーンをビティ仮設足場の最上段の縦枠の方へ引き寄せると吊り上げ滑車４０が後方移動し、簡易クレーンが前方へ大きな力で引っ張られることがなく、簡易クレーンの基部支柱を簡単に仮設足場の最上部の縦枠に引き寄せることができ、クランプによる締結作業を円滑に行うことができる。
【００２６】
また、上記した実施例及び変形例では、後方延設部の先端を建枠部材の横枠に着脱自在に締結するようにしたが、建枠部材の後ろ側の縦枠に着脱自在に締結するようにしても良い。
【産業上の利用可能性】
【００２７】
本発明は、マンション、ビル等の建築物の新築・改修工事現場等に設置される架設足場で使用する簡易クレーンの吊り上げに適用できる。
【符号の説明】
【００２８】
１  ビティ仮設足場
２、１４、１５  建枠部材
２Ａ、１５Ａ  縦枠
３  簡易クレーン
２５  吊り上げロープ
３０  吊り上げ補助具
３１  支柱
３３  アーム部
３４  後方延設部
３７  吊り上げ滑車取り付け部
３８  フック
３９  クランプ
４０  吊り上げ滑車
５０  吊り上げシーブ
５２  ガイドローラ
６０  吊り上げ滑車取り付け部
【図１】
2018003497.tif 000003
【図２】
2018003497.tif 000004
【図３】
2018003497.tif 000005
【図４】
2018003497.tif 000006
【図５】
2018003497.tif 000007
【図６】
2018003497.tif 000008
【図７】
2018003497.tif 000009
【図８】
2018003497.tif 000010
【図９】
2018003497.tif 000011
【図１０】
2018003497.tif 000012
【図１１】
2018003497.tif 000013
【図１２】
2018003497.tif 000014
【図１３】
2018003497.tif 000015
【図１４】
2018003497.tif 000016
【図１５】
2018003497.tif 000017
【図１６】
2018003497.tif 000018
【図１７】
2018003497.tif 000019
【図１８】
2018003497.tif 000020
【図１９】
2018003497.tif 000021
【手続補正書】
【提出日】平成29年2月18日(2017.2.18)
【手続補正１】
【補正対象書類名】特許請求の範囲
【補正対象項目名】全文
【補正方法】変更
【補正の内容】
【特許請求の範囲】
【請求項１】
仮設足場の最上段の建枠部材の内、簡易クレーン装着対象の前側縦枠の上端に上方から嵌脱自在に嵌着可能な支柱と、
支柱から前方に延設されたアーム部と、
アーム部の前端部に設けられた吊り上げ滑車取り付け部と、
支柱から後方に延設されて仮設足場の最上段の建枠部材の内、横枠または後側縦枠に着脱自在に装着可能な後方延設部と、
を有し、
吊り上げ滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴とする吊り上げ補助具。
【請求項２】
アーム部を斜め上方向きに延設したこと、
を特徴とする請求項１記載の吊り上げ補助具。
【請求項３】
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に装備した吊り上げシーブと、
吊り上げシーブがアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げシーブに巻装した吊り上げロープの先端側を簡易クレーンに取り付け、吊り上げロープの他端を引っ張ることで簡易クレーンの吊り上げを可能としたこと、
を特徴とする吊り上げ補助具。
【請求項４】
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に装備した吊り上げ滑車取り付け部と、
吊り上げ滑車滑車取り付け部がアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げ滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴とする吊り上げ補助具。
【請求項５】
アーム部の前部のガイドローラの移動部分を水平より下向きに傾斜させたこと、
を特徴とする請求項３または４記載の吊り上げ補助具。
【請求項６】
支柱またはアーム部または後方延設部に、仮設足場から外した吊り上げ補助具を仮設足場の構造物に掛止可能とするフック部を設けたこと、
を特徴とする請求項１乃至５の内のいずれか一項記載の吊り上げ補助具。
【手続補正２】
【補正対象書類名】明細書
【補正対象項目名】０００８
【補正方法】変更
【補正の内容】
【０００８】
請求項１記載の発明では、
仮設足場の最上段の建枠部材の内、簡易クレーン装着対象の前側縦枠の上端に上方から嵌脱自在に嵌着可能な支柱と、
支柱から前方に延設されたアーム部と、
アーム部の前端部に設けられた吊り上げ滑車取り付け部と、
支柱から後方に延設されて仮設足場の最上段の建枠部材の内、横枠または後側縦枠に着脱自在に装着可能な後方延設部と、
を有し、
吊り上げ滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴としている。
請求項２記載の発明では、アーム部を斜め上方向きに延設したこと、
を特徴としている。
請求項３記載の発明では、
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に装備した吊り上げシーブと、
吊り上げシーブがアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げシーブに巻装した吊り上げロープの先端側を簡易クレーンに取り付け、吊り上げロープの他端を引っ張ることで簡易クレーンの吊り上げを可能としたこと、
を特徴としている。
請求項４記載の発明では、
仮設足場の最上段の建枠部材の内、簡易クレーン装着対象の前側縦枠の上端に上方から嵌脱自在に嵌着可能な支柱と、
支柱から前方に延設されたアーム部と、
アーム部の前部にガイドローラで前後に移動自在に装備した吊り上げ滑車取り付け部と、
吊り上げ滑車取り付け部がアーム部から外れるのを防止するストッパ部と、
支柱から後方に延設されて仮設足場の最上段の建枠部材の内、横枠または後側縦枠に着脱自在に装着可能な後方延設部と、
を有し、
吊り上げ滑車取り付け部に懸吊した吊り上げ滑車に巻装した吊り上げロープの先端側を簡易クレーンに取り付け、吊り上げロープの他端を引っ張ることで簡易クレーンの吊り上げを可能としたこと、
を特徴としている。
請求項５記載の発明では、アーム部の前部のガイドローラの移動部分を水平より下向きに傾斜させたこと、
を特徴としている。
請求項６記載の発明では、
支柱またはアーム部または後方延設部に、仮設足場から外した吊り上げ補助具を仮設足場の構造物に掛止可能とするフック部を設けたこと、
を特徴としている。